(57)【要約】【課題】商品の販売を促進することができる価格値下げおよび販売促進情報などの情報をタグの領域から突出させて明示し、購買者の購買意欲を高進可能で、タグ用販売促進ラベルを貼るスペースがタグにあまりない場合であっても、修正価格および各種の広告情報など必要な販売促進情報を表示可能とするタグ用販売促進ラベルおよびその取付け方法を提供すること。【解決手段】修正価格および各種の広告情報などの販売促進情報を、タグの枠内から外方に飛び出してはみ出すように表示可能とすることに着目したもので、タグに取り付け可能なラベル本体３は、商品の修正価格を表示可能な修正価格表示領域６と、商品について広告情報を表示可能な広告表示領域７と、を有するとともに、少なくとも広告表示領域７をタグから突出させてタグに取り付け可能としたことを特徴とする。【選択図】　　　　図１
2004029465.tif 000002
【特許請求の範囲】
【請求項１】
商品の価格を表示するタグを取り付けた該商品の販売促進を図るためのタグ用販売促進ラベルであって、
前記タグに取り付け可能なラベル本体を有し、
このラベル本体は、
前記商品の変更価格を表示可能な変更価格表示領域と、
前記商品について広告情報を表示可能な広告表示領域と、を有するとともに、
少なくともこの広告表示領域を前記タグから突出させて前記タグに取り付け可能としたことを特徴とするタグ用販売促進ラベル。
【請求項２】
前記変更価格表示領域は、前記タグの表面の地色とは異なる地色でこれを印刷してあることを特徴とする請求項１記載のタグ用販売促進ラベル。
【請求項３】
前記広告表示領域は、前記タグの表面の地色とは異なる地色による明示枠で縁取り印刷してあるとともに、この明示枠の内側に前記広告情報を表示可能としてあることを特徴とする請求項１記載のタグ用販売促進ラベル。
【請求項４】
前記広告表示領域は、前記タグの表面の地色とは異なる地色により全面印刷してあるとともに、この全面印刷した面に前記広告情報を表示可能としてあることを特徴とする請求項１記載のタグ用販売促進ラベル。
【請求項５】
前記広告表示領域と合同の裏打ち領域を設け、この裏打ち領域および前記広告表示領域の間の境界線部分でこの裏打ち領域を折り返して前記広告表示領域の裏面側に貼り付け可能としたことを特徴とする請求項１記載のタグ用販売促進ラベル。
【請求項６】
前記広告表示領域と前記裏打ち領域との間の前記境界線部分に折返し用ミシン目を形成してあることを特徴とする請求項５記載のタグ用販売促進ラベル。
【請求項７】
前記ラベル本体は、これを透明基材から構成し、
前記商品の前記価格を訂正することを明示する変更マークを表示するマーク表示領域をこのラベル本体に形成するとともに、
前記タグに表示した前記価格にこのマーク表示領域を重ね合わせて前記タグに取り付け可能としたことを特徴とする請求項１記載のタグ用販売促進ラベル。
【請求項８】
商品の価格を表示するタグを取り付けた該商品の販売促進を図るためのタグ用販売促進ラベルの取付け方法であって、
前記タグに取り付け可能なラベル本体に、
前記商品の変更価格を表示可能な変更価格表示領域と、
前記商品について広告情報を表示可能な広告表示領域と、を形成するとともに、
前記変更価格表示領域に前記変更価格を表示した上で、
少なくとも前記広告表示領域を前記タグから突出させて前記タグに取り付け可能としたことを特徴とするタグ用販売促進ラベルの取付け方法。
【発明の詳細な説明】
【０００１】
【発明の属する技術分野】
本発明はタグ用販売促進ラベルおよびその取付け方法にかかるもので、とくに下げ札と呼ばれる値札（タグ）を取り付けた商品の販売促進を図ることができるタグ用販売促進ラベルおよびその取付け方法に関するものである。
【０００２】
【従来の技術】
従来から商品の販売促進を行うために、価格の値下げ情報、あるいは「本日特売」や「２０％ＯＦＦ」などの販売促進情報をタグに追加表示ないしは修正表示することが行われている。
こうした販売促進情報を表示するために実際には、商品に取り付けてあるタグの価格を手書きの赤線などで消したり、値引き価格を新たに印字したラベルなどを準備し、これをタグに貼り付けるようにしている。
【０００３】
しかしながら、変更された値下げ価格や、各種の販売促進情報自体が、タグの表面領域内に表示されることになるので、購買者に目立ちにくい。したがって、このタグにより新しい変更価格を表示した商品がセールス対象品ないし値下げ対象商品であることが目立たず、その宣伝効果が低いという問題がある。
【０００４】
さらにまた、タグの印字面には、通常価格はもちろん、商品名、商品コード番号、商品の色やサイズ、バーコード情報など、多くの情報が印字されており、値下げ用のラベルをタグの表面に貼る際に、その貼るスペースが限定されているような場合には、値下げ価格を印字した値下げラベルないしラベルを通常価格を印字した上に貼り付けることしかできず、その宣伝効果が低いという問題とともに、その他の広告宣伝情報すなわち販売促進情報を表示するスペースがないという問題がある。
【０００５】
【発明が解決しようとする課題】
本発明は以上のような諸問題にかんがみなされたもので、価格値下げおよび販売促進情報の明示などにより商品の販売促進効果を向上させることができるタグ用販売促進ラベルおよびその取付け方法を提供することを課題とする。
【０００６】
また本発明は、商品の販売を促進することができる各種の情報を目立たせて明示することができるタグ用販売促進ラベルおよびその取付け方法を提供することを課題とする。
【０００７】
また本発明は、商品の販売を促進することができる各種の情報をタグの領域から突出させて明示することができるタグ用販売促進ラベルおよびその取付け方法を提供することを課題とする。
【０００８】
また本発明は、商品の販売を促進することができる各種の情報を見栄えがよいとともに視覚効果を出して、購買者の購買意欲を高進可能なタグ用販売促進ラベルおよびその取付け方法を提供することを課題とする。
【０００９】
また本発明は、値下げ用あるいは販売促進用にタグ用販売促進ラベルを貼るスペースがタグにあまりない場合であっても、変更価格および各種の広告情報など必要な販売促進情報を表示可能とするタグ用販売促進ラベルおよびその取付け方法を提供することを課題とする。
【００１０】
【課題を解決するための手段】
すなわち本発明は、変更価格および各種の広告情報などの販売促進情報を、タグの枠内から外方に飛び出してはみ出すように表示可能とすることに着目したもので、第一の発明は、商品の価格を表示するタグを取り付けた該商品の販売促進を図るためのタグ用販売促進ラベルであって、上記タグに取り付け可能なラベル本体を有し、このラベル本体は、上記商品の変更価格を表示可能な変更価格表示領域と、上記商品について広告情報を表示可能な広告表示領域と、を有するとともに、少なくともこの広告表示領域を上記タグから突出させて上記タグに取り付け可能としたことを特徴とするタグ用販売促進ラベルである。
【００１１】
第二の発明は、商品の価格を表示するタグを取り付けた該商品の販売促進を図るためのタグ用販売促進ラベルの取付け方法であって、上記タグに取り付け可能なラベル本体に、上記商品の変更価格を表示可能な変更価格表示領域と、上記商品について広告情報を表示可能な広告表示領域と、を形成するとともに、上記変更価格表示領域に上記変更価格を表示した上で、少なくとも上記広告表示領域を上記タグから突出させて上記タグに取り付け可能としたことを特徴とするタグ用販売促進ラベルの取付け方法である。
【００１２】
上記訂正価格表示領域は、上記タグの表面の地色とは異なる地色でこれを印刷してあることができる。
【００１３】
上記広告表示領域は、上記タグの表面の地色とは異なる地色による明示枠で縁取り印刷してあるとともに、この明示枠の内側に上記広告情報を表示可能としてあることができる。
【００１４】
上記広告表示領域は、上記タグの表面の地色とは異なる地色により全面印刷してあるとともに、この全面印刷した面に前記広告情報を表示可能とすることができる。
【００１５】
上記広告表示領域と合同の裏打ち領域を設け、この裏打ち領域および上記広告表示領域の間の境界線部分でこの裏打ち領域を折り返して上記広告表示領域の裏面側に貼り付け可能とすることができる。
【００１６】
上記広告表示領域と上記裏打ち領域との間の上記境界線部分に折返し用ミシン目を形成してあることができる。
【００１７】
上記ラベル本体は、これを透明基材から構成し、上記商品の上記価格を変更することを明示する変更マークを表示するマーク表示領域をこのラベル本体に形成するとともに、上記タグに表示した上記価格にこのマーク表示領域を重ね合わせて上記タグに取り付け可能とすることができる。
【００１８】
当該タグ用販売促進ラベルをタグに取り付ける手段としては、ラベル本体の裏面に粘着剤層を設けてタグに貼り付け可能とする構成、あるいはホッチキスなどの止め具による手段、その他任意の手段を採用可能である。
【００１９】
本発明によるタグ用販売促進ラベルおよびその取付け方法においては、商品についての広告情報を表示可能な広告表示領域を設け、少なくともこの広告表示領域をタグの枠内から外方に突出させて取り付け可能とし、変更価格表示領域における新しい変更価格とともに、広告表示領域における「本日特売」や「２０％ＯＦＦ」その他の販売促進情報を併せて表示し、吊り下げ広告のように広告表示領域を位置させ、視覚的に目立たせて販売促進の効果を増すことができる。
【００２０】
とくに第一の発明によれば、ラベル本体に変更価格表示領域および広告表示領域を設け、少なくともこの広告表示領域をタグの枠内から外方に突出させて取り付け可能としているので、上述のように、視覚的に目立たせて販売促進の効果を増すことができるとともに、タグ上に貼り付け可能なスペースが限定されていても、最低限の必要な情報を取り付け、表示することができる。
【００２１】
とくに第二の発明によれば、適宜のプリンターなどにより変更価格および広告情報を印字し表示した上で、少なくとも広告表示領域あるいは必要ならば変更価格表示領域をもタグから突出させてタグに取り付け可能としたので、タグに表示されている他の情報を覆い隠すことなく、作業性良好にタグ用販売促進ラベルを取り付けることができる。
【００２２】
【発明の実施の形態】
つぎに本発明の第１の実施の形態によるタグ用販売促進ラベル１およびその取付け方法を図１ないし図３にもとづき説明する。
図１は、タグ用販売促進ラベル１の平面図、図２は、図１のＩＩ−ＩＩ線断面図、図３は、タグ用販売促進ラベル１の使用形態ないし価格訂正形態を示す平面図であって、タグ用販売促進ラベル１は、台紙２と、ラベル本体３と、を有する。
【００２３】
台紙２は、帯状に長く、その表面に剥離剤層を有しており、裏面に粘着剤層４（図２）を有するラベル本体３を仮着している。
【００２４】
ラベル本体３は、ＰＥＴフィルム、パラフィン紙その他の透明基材からこれを構成し、マーク表示領域５と、変更価格表示領域６と、広告表示領域７と、第１の裏打ち領域８および第２の裏打ち領域９と、を有する。
【００２５】
マーク表示領域５は、タグ１０（図３）に印字してある商品の旧価格１１（図３）を訂正することを明示する旧価格変更領域であり、たとえばチェックマーク、二本線取消しマークあるいはバツマークその他の変更マーク１２をあらかじめ印刷して表示している。
【００２６】
変更マーク１２は、タグ１０の表面の地色（たとえば白色）とは異なる目立つ色（たとえば赤色）でこれを印刷してあり、透明なラベル本体３を通して反対側の文字（旧価格１１）などが透けて見えるとともに、これらが互いに重ね合わさるようになっている。
【００２７】
変更価格表示領域６は、変更後の商品の価格すなわち変更価格１３（図３）を表示可能であり、タグ１０の表面の地色（たとえば白色）とは異なる地色（たとえば黄色）でこれを印刷してある。
【００２８】
広告表示領域７は、タグ１０の表面の地色とは異なる目立つ地色（たとえば赤色）による明示枠１４で縁取り印刷してあるとともに、この明示枠１４の内側に商品について各種広告文字などによる広告情報１５（図３、たとえば「本日特売！」）をプリンター（図示せず）により、目立つ赤色などで印字して表示可能としてある。
なお、広告情報１５を表示する明示枠１４の内側には、必要であれば、広告情報１５の色、さらに明示枠１４の色とのコントラストが良好な任意の地色（たとえば白色）を印刷しておくことができる。
さらに、広告表示領域７は、タグ１０の表面の地色とは異なる目立つ地色（たとえば赤色）により全面印刷することもでき、この全面印刷した面に広告情報１５の色、例えば全面印刷との色とのコントラストが良好な任意の色（たとえば黒色）を印字して表示可能としてある。
【００２９】
第１の裏打ち領域８および第２の裏打ち領域９は、それぞれ広告表示領域７および変更価格表示領域６と同じ形状および同じ大きさ、すなわち合同であって、その間の境界線部分に折返し用ミシン目１６を形成し、折返し用ミシン目１６の部分で折り返してそれぞれの裏面に貼り付け可能としてある。
この第１の裏打ち領域８および第２の裏打ち領域９にも、明示枠１４とのコントラストが良好な任意の地色（たとえば白色）を印刷しておくことができる。
【００３０】
こうした構成のタグ用販売促進ラベル１において、図３に示すように、タグ用販売促進ラベル１（ラベル本体３）の変更価格表示領域６部分に新しい変更価格１３を、また、広告表示領域７に広告情報１５（図３、「本日特売！」）を、所定のプリンター（図示せず）によりそれぞれ印字するとともに、ラベル本体３を台紙２から剥離して、タグ１０の商品の旧価格１１部分にマーク表示領域５の変更マーク１２が重ね合わさるように、また変更価格表示領域６、広告表示領域７および第１の裏打ち領域８および第２の裏打ち領域９がタグ１０の領域から外方に突出するように、タグ１０に貼り付ける。
【００３１】
さらに、図３の断面図に示すように、折返し用ミシン目１６の部分において、第１の裏打ち領域８および第２の裏打ち領域９を折り返して、広告表示領域７および変更価格表示領域６の裏面側にそれぞれ貼り付けておくことにより、広告表示領域７および変更価格表示領域６におけるその裏面の粘着剤層４が他の部分に貼り付くことを防止可能であるとともに、たとえば白色の第１の裏打ち領域８および第２の裏打ち領域９により広告情報１５をさらに浮き出させることができる。
【００３２】
したがって、タグ１０に印字されている商品の旧価格１１たとえば３９００円がマーク表示領域５の訂正マーク１２により取り消されていること、および変更価格１３が、たとえば３０００円であること、さらに広告情報１５が「本日特売！」であること、を同時かつ簡単に表示することができる。
また、変更価格１３を表示する変更価格表示領域６および広告情報１５を表示する広告表示領域７が二段ともタグ１０の領域から外方に突出しているので、これらを目立たせ、購買者への視覚的効果を増強させることができる。
【００３３】
なお、変更価格表示領域６および広告表示領域７の相対位置関係は任意であり、いずれかが上下あるいは左右に位置するようにしても構わない。
さらに、タグ用販売促進ラベル１としては、ラベル本体３に粘着剤層４を形成せず貼り付けではなく、ホッチキスなどの他の手段により取り付け可能な形態とすることもでき、あるいは台紙２を使用しないで貼り付け可能な台紙なしラベルの形態としても提供可能である。
【００３４】
また、本発明におけるラベル本体は、透明基材によりこれを構成しなくてもよい。
たとえば、従来と同様の不透明な上質紙からラベル本体を構成した場合には、マーク表示領域５に旧価格１１および変更マーク１２を印字した上で（好ましくは変更マーク１２を旧価格１１とは異なる赤色などで印字して）、タグ１０上の旧価格１１を覆うようにこのマーク表示領域５を貼り付ければよい。
【００３５】
図４は、本発明の第２の実施の形態によるタグ用販売促進ラベル２０の平面図、図５は、図４のＶ−Ｖ線断面図、図６は、タグ用販売促進ラベル２０の使用形態ないし価格変更形態を示す平面図であって、タグ用販売促進ラベル２０は、前記台紙２およびラベル本体３を有し、ラベル本体３には、前記マーク表示領域５、変更価格表示領域６および広告表示領域７と、一段のみの裏打ち領域２１と、を形成してある。
【００３６】
広告表示領域７は、タグ１０の表面の地色とは異なる目立つ地色（たとえば赤色）による明示枠１４で縁取り印刷してあるとともに、この明示枠１４の内側に商品について各種広告文字などによる広告情報１５（図６、たとえば「本日特売！」）を前記プリンター（図示せず）により、目立つ赤色などで印字して表示可能としてある。
なお、広告情報１５を表示する明示枠１４の内側には、必要であれば、広告情報１５の色、さらに明示枠１４とのコントラストが良好な任意の地色（たとえば白色）を印刷しておくことができる。
【００３７】
裏打ち領域２１は、前述の第１の裏打ち領域８および第２の裏打ち領域９（図１）と同様に、広告表示領域７と同じ形状および同じ大きさ、すなわち合同であって、広告表示領域７に隣合って、図示の例ではその下段側にこれを位置してあるとともに、広告表示領域７と裏打ち領域２１との間の境界線部分に折返し用ミシン目１６を形成してある。
この裏打ち領域２１にも、明示枠１４とのコントラストが良好な任意の地色（たとえば白色）を印刷しておくことができる。
この裏打ち領域２１は、これを折返し用ミシン目１６の部分において折り返し、広告表示領域７の裏面側に貼り付け可能としてある。
【００３８】
こうした構成のタグ用販売促進ラベル２０において、図６に示すように、タグ用販売促進ラベル２０（ラベル本体３）の変更価格表示領域６に新しい変更価格１３を、また、広告表示領域７に広告情報１５（図６、「本日特売！」）を、所定のプリンター（図示せず）によりそれぞれ印字するとともに、ラベル本体３を台紙２から剥離して、タグ１０の商品の旧価格１１部分にマーク表示領域５の変更マーク１２が重ね合わさるように、また、広告表示領域７および裏打ち領域２１がタグ１０の領域から外方に突出するように、タグ１０に貼り付ける。
【００３９】
さらに、図６の断面図に示すように、折返し用ミシン目１６の部分において、裏打ち領域２１を折り返して広告表示領域７の裏面側に貼り付けておくことにより、広告表示領域７におけるその裏面の粘着剤層４が他の部分に貼り付くことを防止可能であるとともに、たとえば白色の裏打ち領域２１により広告情報１５をさらに浮き出させることができる。
【００４０】
図７は、本発明の第３の実施の形態によるタグ用販売促進ラベル３０の平面図、図８は、図７のＶＩＩＩ−ＶＩＩＩ線断面図、図９は、タグ用販売促進ラベル３０の使用形態ないし価格変更形態を示す平面図であって、タグ用販売促進ラベル３０は、前記台紙２およびラベル本体３を有し、ラベル本体３には、前記マーク表示領域５、変更価格表示領域６、広告表示領域７および裏打ち領域２１に加えて、バーコード表示領域３１を形成してある。
【００４１】
バーコード表示領域３１は、変更価格表示領域６に新たに印字して表示した変更価格１３およびその関連情報に対応したバーコード情報３２（図９）あるいはその他の情報を表示可能である。
【００４２】
こうした構成のタグ用販売促進ラベル３０においても、既述のタグ用販売促進ラベル１（図１）およびタグ用販売促進ラベル２０（図４）と同様に、各種の販売促進情報を簡単に表示して商品の販売促進に寄与可能であるとともに、商品の変更価格１３に関する情報を機械的に読み取り可能として売上処理の効率化にも寄与することができる。
【００４３】
なお本発明においては、変更マーク１２を有するマーク表示領域５以外の変更価格表示領域６、広告表示領域７、バーコード表示領域３１には、例示した販売促進情報に限らず、商品の変更価格１３をはじめ、たとえば「さらに２０％ＯＦＦ」の各種広告文字などによる広告情報１５あるいはバーコード情報３２などそれぞれ任意の販売促進情報を表示することができる。たとえば、広告表示領域７の明示枠１４内に変更価格１３を表示しても構わない。
また、広告表示領域７および裏打ち領域２１の対となる領域（図４、図７）、あるいは第１の裏打ち領域８および第２の裏打ち領域９と広告表示領域７および変更価格表示領域６との対となる領域（図１）は、それぞれ互いに隣合っていてラベル本体３の端部に位置している必要があるが、それぞれの領域５、６、７、３１の互いの相対位置関係は任意である。
【００４４】
【発明の効果】
以上のように本発明によれば、変更価格を表示可能な変更価格表示領域および広告情報を表示可能な広告表示領域を設けるとともに、少なくとも広告表示領域をタグから突出させて取り付け可能としたので、価格の変更作業および変更価格の表示作業を同時に行うことができて作業性にすぐれているとともに、少なくとも広告情報を目立たせて、購買者の購買意欲を高めて販売促進に寄与することができる。
【図面の簡単な説明】
【図１】本発明の第１の実施の形態によるタグ用販売促進ラベル１の平面図である。
【図２】図１のＩＩ−ＩＩ線断面図である。
【図３】同、タグ用販売促進ラベル１の使用形態ないし価格変更形態を示す平面図である。
【図４】本発明の第２の実施の形態によるタグ用販売促進ラベル２０の平面図である。
【図５】図４のＶ−Ｖ線断面図である。
【図６】同、タグ用販売促進ラベル２０の使用形態ないし価格変更形態を示す平面図である。
【図７】本発明の第３の実施の形態によるタグ用販売促進ラベル３０の平面図である。
【図８】図７のＶＩＩＩ−ＶＩＩＩ線断面図である。
【図９】同、タグ用販売促進ラベル３０の使用形態ないし価格変更形態を示す平面図である。
【符号の説明】
１　タグ用販売促進ラベル（第１の実施の形態、図１）
２　台紙
３　ラベル本体
４　粘着剤層
５　マーク表示領域（旧価格変更領域）
６　変更価格表示領域
７　広告表示領域
８　第１の裏打ち領域
９　第２の裏打ち領域
１０　タグ（図３、図６、図９）
１１　商品の旧価格（たとえば、３９００円）
１２　変更マーク
１３　商品の変更価格（たとえば、３０００円）
１４　広告表示領域７の明示枠
１５　広告情報（各種広告文字などによる、たとえば「本日特売！」）
１６　折返し用ミシン目
２０　タグ用販売促進ラベル（第２の実施の形態、図４）
２１　裏打ち領域
３０　タグ用販売促進ラベル（第３の実施の形態、図７）
３１　バーコード表示領域
３２　バーコード情報
【図１】
2004029465.tif 000003
【図２】
2004029465.tif 000004
【図３】
2004029465.tif 000005
【図４】
2004029465.tif 000006
【図５】
2004029465.tif 000007
【図６】
2004029465.tif 000008
【図７】
2004029465.tif 000009
【図８】
2004029465.tif 000010
【図９】
2004029465.tif 000011